(57)【要約】【課題】産業用コントローラの入出力端子と標準コネクタとの接続ができ、作業効率，作業品質を向上し、製品の小型化が可能な省配線型中継コネクタを提供する。【解決手段】コントローラ１側の２列に配列された複数の端子と直接的に接続される２列に配列された複数のコンタクト２０と、各コンタクト２０が挿入されてはんだ接合された複数のスルーホール部２６と標準コネクタの端子位置にそれぞれ対応して設けられた複数のスルーホール部２７とを電気的に接続するプリント板回路を形成したプリント基板２５と、プリント基板２５のコンタクトとは反対側の面にはんだ実装された標準コネクタ２２とを備えた。【選択図】　図２
2004119021.tif 000002
【特許請求の範囲】
【請求項１】
コントローラ側の２列に配列された複数の端子と直接的に接続される２列に配列された複数のコンタクトと、該各コンタクトが挿入されてはんだ接合された複数の第１のスルーホール部と標準コネクタの端子位置にそれぞれ対応して設けられた複数の第２のスルーホール部とを電気的に接続するプリント板回路を形成したプリント基板と、該プリント基板の前記コンタクトとは反対側の面にはんだ実装された標準コネクタとを備えた省配線型中継コネクタ。
【請求項２】
複数の入出力モジュールを有するコントローラと、該コントローラ側の２列に配列された複数の端子と直接的に接続される２列に配列された複数のコンタクトと、該各コンタクトが挿入されてはんだ接合された複数の第１のスルーホール部と標準コネクタの端子位置にそれぞれ対応して設けられた複数の第２のスルーホール部とを電気的に接続するプリント板回路を形成したプリント基板と、該プリント基板の前記コンタクトとは反対側の面にはんだ実装された標準コネクタと、該標準コネクタにダイレクト接続される両端コネクタケーブルと、該両端コネクタケーブルにダイレクト接続される外部インタフェースのコネクタＴＢを備えた制御盤。
【請求項３】
前記コントローラ側の端子が前記コンタクトで直接的に挟み込まれ、コンタクトを必要な沿面距離を保持してプリント板にはんだ接合された請求項１に記載の省配線型中継コネクタ。
【請求項４】
前記複数の第１のスルーホール部が占める面積が前記複数の第２のスルーホール部が占める面積より大きいものであって、前記プリント基板のプリント板回路が、前記第１のスルーホール部から前記第２のスルーホール部に絞り込むように形成されている請求項１に記載の省配線型中継コネクタ。
【請求項５】
前記コントローラからの入出力信号配線と標準コネクタの信号配線が１対１に対応するように接続されている請求項１に記載の省配線型中継コネクタ。
【発明の詳細な説明】
【０００１】
【発明の属する技術分野】
本発明は、複数の入出力モジュールを有する産業用コントローラと外部インターフェイスコネクタ間を接続する省配線型中継コネクタに関する。
【０００２】
【従来の技術】
従来の技術としては、
【特許文献１】に記載のように、フロントボードの裏面上端部に中継コネクタを固定的に設け、中継コネクタに対し雄雌対をなして脱着可能に接続する接続コネクタに配線が集められて接続され、フロントボードに施したプリント配線とこれに取付けた接続コネクタによりプリント基板と接続するようにしたプリント基板ユニットがある。
【特許文献１】
特開平７−２４９８８４号公報
【０００３】
【発明が解決しようとする課題】
【特許文献１】に記載の従来の技術は、プリント基板と接続する中継コネクタをフロントボードの裏面上端部に固定的に設けるものではあるが、フロントボードの裏面上端部等の取付け場所が設けられない場合には適用できないものであった。又、産業用コントローラのように、絶縁距離を保つように離間されて引出された複数の入出力端子と標準コネクタとの接続については配慮されていないものであった。
【０００４】
本発明の第１の目的は、産業用コントローラの入出力端子と標準コネクタとの接続ができ、ケーブル接続の誤りも少ない省配線型中継コネクタを提供することにある。
【０００５】
本発明の第２の目的は、産業用コントローラの入出力端子と標準コネクタとの接続ができ、ケーブル配線工数の低減，作業効率，作業品質を向上，製品の小型化が可能な省配線型中継コネクタを提供することにある。
【０００６】
【課題を解決するための手段】
上記目的を達成するために、本発明の省配線型中継コネクタは、コントローラ側の２列に配列された複数の端子と直接的に接続される２列に配列された複数のコンタクトと、各コンタクトが挿入されてはんだ接合された複数のスルーホール部と標準コネクタの端子位置にそれぞれ対応して設けられた複数のスルーホール部とを電気的に接続するプリント板回路を形成したプリント基板と、プリント基板のコンタクトとは反対側の面にはんだ実装された標準コネクタとを備えたものである。
【０００７】
又、制御盤は、複数の入出力モジュールを有するコントローラと上記省配線型中継コネクタとを直接的に接続し、標準コネクタにダイレクト接続される両端コネクタケーブルと、該両端コネクタケーブルにダイレクト接続される外部インタフェースのコネクタＴＢを備えたものである。
【０００８】
【発明の実施の形態】
以下、本発明の一実施例を図１から図４により説明する。図１は、本実施例の省配線型中継コネクタを使用した配線部の斜視図、図２は、省配線型中継コネクタの構造を示す斜視図、図３は、省配線型中継コネクタの縦断面図である。
【０００９】
図１から図３に示すように、複数の入出力モジュールを有する産業用コントローラ１が実装されてシステム制御を行う制御盤が構成される。産業用コントローラ１の端部にはコントローラ入出力端子部２が設けられる。このコントローラ入出力端子部２には、産業用コントローラ１のプリント基板の端部から沿面距離を保つように離間されて引出された複数の入出力端子２３が２列ずつ複数行配列されている。入出力端子２３は、先端が先細り形状に形成された雄端子である。
【００１０】
省配線型中継コネクタ３は、次のように構成されている。図２に示すように、省配線型中継コネクタ３の底部８の偏芯した位置には２つの穴部が設けられ、底部８にはカバー部７が取付けられる。カバー部７の中央部には標準コネクタ２２が設けられる。底部８とカバー部７との間にはプリント基板２５が設けられる。底部８に偏芯して凸形状部１５が形成され、この凸形状部１５がコントローラ入出力端子部２の凹形状部１６に嵌め合わされるようになっている。
【００１１】
底部８の２つの穴部には、産業用コントローラ１の入出力端子２３を両側から挟み込み直接的に接続するコンタクト２０が設けられる。以下、このような接続をダイレクト接続という。コンタクト２０は、必要な沿面距離を保持した状態に形成されてプリント基板２５と接続されている。このコンタクト２０は、２列ずつ複数行配列されている複数の入出力端子２３と対応する位置に複数個設けられる。凹形状部１６とプリント基板２５の両端には、図２に示す端部３０が設けられている。プリント基板２５は底部８の中央部に配置されるようにするため、２列に配列されるコンタクト２０の一方には、水平方向の配線部分２０ａが設けられている。
【００１２】
図４は、プリント基板２５を上から見た平面図であり、沿面距離を保つように離間されて配列された複数のコンタクト２０は、プリント基板２５のスルーホール部２６の１点に挿入されてはんだ接合されている。コンタクト２０のはんだ接合部間は沿面距離を確保するように離間されて配置されるが、標準コネクタと接続するためにプリント基板２５には標準コネクタの端子位置のそれぞれに対応してスルーホール部２７が複数個設けられている。スルーホール部２６とスルホール部２７は、必要な沿面距離を確保したプリント基板２５上のプリント板回路であるモード２１により電気的に接続されている。スルーホール部２７には端子
２９をはんだ接合してプリント基板２５の片面に標準コネクタ２２をはんだ実装している。ここで、複数のスルーホール部２６が占める面積が複数のスルーホール部２７が占める面積より大きく形成され、プリント板回路は、複数のスルーホール部２６から複数のスルーホール部２７にまで絞り込むように形成されている。
【００１３】
このように、コントローラの入出力端子を直接コンタクトで挟みこみ、コンタクトを必要な沿面距離を保持してプリント板の片面に直接はんだ接合し、プリント基板上に必要な沿面距離を確保した回路構成のモードにより信号を伝達してはんだ付けした標準コネクタの端子に出力する構造で、プリント板の片面に標準コネクタを、裏面にコンタクトを実装する両面実装化することにより、より小型な中継コネクタを実現している。又、プリント基板２５のプリント板回路で標準コネクタの大きさまで絞り込んでいるので、中継コネクタの厚さを薄くできる。又、プリント基板の両面に実装しているので、両側から接合外力を安定させた中継結合ができる。
【００１４】
プリント基板２５の両端側には、雄ネジの取付け部２８が設けられ、コントローラ入出力端子部２にネジ止めされることにより固定される。カバー部７には雄ネジの取付け部２８に対応する部分に切欠き部３１が設けられ、カバー部７は中央部の切抜き部に標準コネクタ２２を挿入した状態で底部８と接着固定されている。この省配線型中継コネクタ３は、両端に標準コネクタ４が取付けられている両端コネクタケーブル５の一方の標準コネクタ４によりダイレクト接続され、他方の標準コネクタ４により外部インタフェースのコネクタＴＢ１０の標準コネクタ９にダイレクト接続される。
【００１５】
このように、本実施例の省配線型中継コネクタ３は、必要沿面距離を確保したコントローラの入出力端子２３を、プリント基板の１点はんだ接続したコンタクトにより両側から挟み込むように直接的に接続しているので、配線の接続を容易に行え、配線作業の大幅な低減が可能となる。又、産業用コントローラに入出力信号ケーブルをネジ固定する必要がなく、ネジが落下して、あるいはネジの緩みにより接続に不具合を生じることがなくなる。又、両端コネクタケーブルにより接続できるため、１対１対応の接続で正しい配線接続ができ、接続の誤りが発生するのを防止できる。
【００１６】
又、プリント基板を使い、信号線の必要な沿面距離を確保しつつ、標準コネクタの大きさに絞り込む構造であるので、厚さ方向を短縮でき小型化できる。又、コントローラ，ケーブル，外部インターフェースＴＢなどは、メーカの通常の構造のものが使用でき、配線の数を少なくすることも容易に実現できる。又、コントローラ，外部インタフェースＴＢ、それらを接続するケーブルのメーカが異なる場合でも、容易に実装でき、省配線化を図ることができる。又、複数の入出力モジュールを有する産業用コントローラを実装し、システム制御を行う装置，制御盤などの製品において、コントローラからの入出力信号配線の工数の大幅な低減ができる。又、入出力ケーブルの引き廻しスペースを小さくできるため、製品の小型化，製品の冷却を効果的に行うことができる。
【００１７】
【発明の効果】
本発明によれば、配線の接続を容易に行え、配線作業の大幅な低減が可能となる。又、プリント基板を使い、信号線の必要な沿面距離を確保しつつ、標準コネクタの大きさに絞り込む構造であるので、厚さ方向を短縮でき小型化できる。
【図面の簡単な説明】
【図１】本発明の一実施例である省配線型中継コネクタ接続部の斜視図である。
【図２】本実施例の省配線型中継コネクタの構造を示す斜視図である。
【図３】本実施例の省配線型中継コネクタの縦断面図である。
【図４】本実施例のプリント基板の平面図である。
【符号の説明】
１…産業用コントローラ、２…コントローラ入出力端子部、３…省配線型中継コネクタ、４，９，２２…標準コネクタ、５…両端コネクタケーブル、７…カバー部、８…底部、１０…コネクタＴＢ、２０…コンタクト、２１…モード、２３…入出力端子、２５…プリント基板。
【図１】
2004119021.tif 000003
【図２】
2004119021.tif 000004
【図３】
2004119021.tif 000005
【図４】
2004119021.tif 000006